(57)【要約】【課題】  補強鉄筋を不要としてコンクリート成形体の連結強度を向上し、且つ重量を軽減する。【解決手段】  コンクリート板もしくはコンクリートブロックをその厚み幅を二分割してそれぞれの片面に波形部分２を成形し、この波形部分２同士を噛み合わせ可能にする。波形部分２に、接着剤で加工した天然繊維や合成繊維等からなる布材にて形成される連結部材３を貼着し、さらにステンレス板、パンチングメタル、プラスチック板等の硬質板材にて形成される連結補強骨材４を付設して構成する。【選択図】          図１
2006022529.tif 000002
【特許請求の範囲】
【請求項１】
コンクリート板もしくはコンクリートブロックをその厚み幅を二分割してそれぞれの片面に波形部分を成形し、この波形部分同士を噛み合わせ可能にして成ることを特徴としたコンクリート成形体。
【請求項２】
波形部分に、接着剤で加工した天然繊維や合成繊維等からなる布材を連結部材として貼着して成る請求項１記載のコンクリート成形体。
【請求項３】
前記連結部材に加え、これにステンレス板、パンチングメタル、プラスチック板等の硬質板材を連結補強骨材として付設した請求項２記載のコンクリート成形体。
【請求項４】
コンクリート板もしくはコンクリートブロックは、植物繊維による柔軟性骨材と、セメントとを無機質コンクリート混和剤と混練して成る請求項１乃至３のいずれか記載のコンクリート成形体。
【請求項５】
柔軟性骨材は、ココヤシ繊維、オガ粉、木チップ、コーンの芯、バーミキュライト、竹、葦、背高泡立ち草等の繊維性植物粗粉末、もしくは破砕スポンジのいずれかである請求項４記載のコンクリート成形体。
【請求項６】
コンクリート板もしくはコンクリートブロックをその厚み幅を二分割してそれぞれの片面を波形に成形して成るコンクリート成形体の波形部分同士を、接着剤で加工した天然繊維や合成繊維等からなる布材にて形成される連結部材を主材とし、これにステンレス板、パンチングメタル、プラスチック板等の硬質板材にて形成される連結補強骨材を介して噛み合わせるものとすることを特徴としたコンクリート成形体の連結施工方法。
【請求項７】
コンクリート板もしくはコンクリートブロックをその厚み幅を二分割してそれぞれの片面を波形に成形して成るコンクリート成形体の波形部分に、接着剤を含浸もしくは塗布した天然繊維や合成繊維等からなる布材にて形成される連結部材を貼着し、このコンクリート成形体の波形部分同士を噛み合わせることで縦横の連結を行うものとすることを特徴としたコンクリート成形体の連結施工方法。
【発明の詳細な説明】
【技術分野】
【０００１】
本発明は、建造物の壁材建設に使用される板状もしくはブロック状のコンクリート成形体とその連結施工方法に関する。
【背景技術】
【０００２】
砕石材を骨材とする従来のコンクリート板もしくはコンクリートブロックは、広く土木建設に使用されている。これらは建設時において、コンクリート板の場合は鉄骨による枠組みを使用し、コンクリートブロックの場合は空隔部に鉄筋を使用し、共にセメントを充填することで硬化強度を得ている。また、コンクリート板もしくはコンクリートブロックの縦横の積み上げ接合部には鉄筋により連結補強を行い、この接合部に塗布されるセメントの接着固化機能により壁体が建設されるものとなっている。
【特許文献１】特になし
【発明の開示】
【発明が解決しようとする課題】
【０００３】
しかしながら、従来の石骨材によるコンクリート成形体は重量があるため、コンクリート板もしくはコンクリートブロックの積み上げ施工に際し、充分な基礎と補強鉄筋を必要とする。また、このような重量性のためにコンクリート成形体の運搬が困難であり、しかも施工時の手作業も容易ではない。さらに、震災等による崩壊で重量のある崩壊物による被害も多発する等の問題がある。
【０００４】
そこで、本発明は、叙上のような従来存した諸事情に鑑み創出されたもので、補強鉄筋を不要としてコンクリート成形体の連結強度を向上させることができ、しかも重量を軽減することを可能にしたコンクリート成形体とその連結施工方法を提供することを目的とする。
【課題を解決するための手段】
【０００５】
上述した課題を解決するため、本発明にあっては、コンクリート板もしくはコンクリートブロックをその厚み幅を二分割してそれぞれの片面に波形部分を成形し、この波形部分同士を噛み合わせ可能にして成るものである。
【０００６】
波形部分に、接着剤で加工した天然繊維や合成繊維等からなる布材を連結部材として貼着して成るものとすることができる。
【０００７】
前記連結部材に加え、これにステンレス板、パンチングメタル、プラスチック板等の硬質板材を連結補強骨材として付設して構成することができる。
【０００８】
コンクリート板もしくはコンクリートブロックは、植物繊維による柔軟性骨材と、セメントとを無機質コンクリート混和剤と混練して成るものとすることができる。
【０００９】
柔軟性骨材は、ココヤシ繊維、オガ粉、木チップ、コーンの芯、バーミキュライト、竹、葦、背高泡立ち草等の繊維性植物粗粉末、もしくは破砕スポンジのいずれかであるものとすることができる。
【００１０】
コンクリート板もしくはコンクリートブロックをその厚み幅を二分割してそれぞれの片面を波形に成形して成るコンクリート成形体の波形部分同士を、接着剤で加工した天然繊維や合成繊維等からなる布材にて形成される連結部材を主材とし、これにステンレス板、パンチングメタル、プラスチック板等の硬質板材にて形成される連結補強骨材を介して噛み合わせるものとすることができる。
【００１１】
コンクリート板もしくはコンクリートブロックをその厚み幅を二分割してそれぞれの片面を波形に成形して成るコンクリート成形体の波形部分に、接着剤を含浸もしくは塗布した天然繊維や合成繊維等からなる布材にて形成される連結部材を貼着し、このコンクリート成形体の波形部分同士を噛み合わせることで縦横の連結を行うものとすることができる。
【００１２】
以上のように構成された本発明に係るコンクリート成形体とその連結施工方法にあって、コンクリート成形体の波形部分同士を、接着剤で加工した天然繊維や合成繊維等からなる布材にて形成される連結部材と、ステンレス板、パンチングメタル、プラスチック板等の硬質板材からなる連結補強骨材とを介して噛み合わせるに際し、波形部分は、コンクリート成形体同士の食い付きを良好にさせると共に、従来のような補強鉄筋を使用しなくても充分な強度を発現させる。
【００１３】
また、コンクリート成形体の波形部分に、接着剤を含浸もしくは塗布した天然繊維や合成繊維等からなる布材にて形成される連結部材を貼着し、このコンクリート成形体の波形部分同士を噛み合わせるに際し、当該波形部分は、接着剤のみでもコンクリート成形体同士の食い付きを良好にさせると共に、縦横の連結補強を可能にさせるものとなっている。特に、このようなンクリート成形体の波形部分同士の接合により、波形位相方向に沿っての剪断力に対して充分な抗力を発揮させるものである。
【発明の効果】
【００１４】
以上のように、本発明によれば、補強鉄筋を不要としてコンクリート成形体の連結強度を向上させることができ、しかも重量を軽減することを可能にする。
【００１５】
すなわち、これは本発明が、コンクリート板もしくはコンクリートブロックをその厚み幅を二分割してそれぞれの片面に波形部分を成形し、この波形部分同士を噛み合わせ可能にして成るからであり、これにより、補強鉄筋を使用しなくても積み上げられたコンクリート成形体の縦横の連結強度を充分に向上させることができる。
【００１６】
波形部分に、接着剤で加工した天然繊維や合成繊維等からなる布材にて形成される連結部材を貼着して成るものであるから、接着剤のみでも充分な連結強度が得られると共に、建設現場における施工も容易となる。
【００１７】
前記天然繊維や合成繊維等からなる布材にて形成される連結部材に加え、これにステンレス板、パンチングメタル、プラスチック板等の硬質板材にて形成される連結補強骨材を付設してあるので、従来の補強鉄筋の使用に比べて軽量となり、しかも充分な強度を得ることができる。
【００１８】
コンクリート板もしくはコンクリートブロックは、植物繊維による柔軟性骨材と、セメントとを無機質コンクリート混和剤と混練して成るので、充分なセメント接着強度が得られ、軽量でしかも高強度のコンクリート板もしくはコンクリートブロックが得られる。また、無機質コンクリート混和剤を使用しているため、コンクリート密度を高めることができ、セメントとの混合比を変更することで屋外用としての防水機能も十分に備えることができる。さらに、釘打ち、裁断が容易なソフト状態に成形することができ、内装用とすることも可能である。
【００１９】
柔軟性骨材は、ココヤシ繊維、オガ粉、木チップ、コーンの芯、バーミキュライト、竹、葦、背高泡立ち草等の繊維性植物粗粉末、もしくは破砕スポンジのいずれかであるものとしたので、自然環境に優しいコンクリート板もしくはコンクリートブロックが得られ、しかも自然に繁殖した繊維性植物等の有効利用に貢献することができる。
【００２０】
コンクリート板もしくはコンクリートブロックをその厚み幅を二分割してそれぞれの片面を波形に成形して成るコンクリート成形体の波形部分同士を、接着剤で加工した天然繊維や合成繊維等からなる布材にて形成される連結部材を主材とし、これにステンレス板、パンチングメタル、プラスチック板等の硬質板材にて形成される連結補強骨材を介して噛み合わせるものとしたので、構造上充分な強度が得られるコンクリート板もしくはコンクリートブロックを容易に形成することができる。
【００２１】
コンクリート板もしくはコンクリートブロックをその厚み幅を二分割してそれぞれの片面を波形に成形して成るコンクリート成形体の波形部分に、接着剤を含浸もしくは塗布した天然繊維や合成繊維等からなる布材にて形成される連結部材を貼着し、このコンクリート成形体の波形部分同士を噛み合わせることで縦横の連結を行うものとするので、接着剤のみで高強度を発現することのできるコンクリート板もしくはコンクリートブロックを容易に形成することができる。
【発明を実施するための最良の形態】
【００２２】
以下、図面を参照して本発明を実施するための最良の一形態を説明すると、図において示される符号１は、建造物の壁材建設に使用される板状もしくはブロック状のコンクリート成形体であり、図１に示すように、このコンクリート成形体１は、コンクリート板もしくはコンクリートブロックをその厚み幅が１／２となるように分割し、それぞれの片面を、例えば小波形、大波形、角波形（図３参照）等の種々の形状の波形部分２に成形することで、この波形部分２同士を噛み合わせ可能となるようにしてある。
【００２３】
このように２枚のコンクリート成形体１の片面の波形部分２同士を噛み合わせることで横連結強度が向上し、さらにコンクリート成形体１の縦寸法を１：１／２の段違い組み合わせによって、従来の補強鉄筋を使用せずに接着剤のみであっても補強鉄筋と同様な強度を発現できるようにしてある。具体的には、この波形部分２に、例えば接着剤で加工した天然繊維や合成繊維等からなる布材にて形成される連結部材３を貼着して成形する。
【００２４】
また、更に強度が必要な場合には、図４に示すように、接着剤で加工した天然繊維や合成繊維等からなる布材にて形成される連結部材３に加えて、これに厚さ約０．５ｍｍ〜１．５ｍｍ程度のステンレス薄板、あるいはパンチングメタル、プラスチック板等の硬質板材にて形成される連結補強骨材４を付設して構成することで充分な連結補強が成される構造となる。
【００２５】
前記連結部材３として使用される天然繊維や合成繊維からなる布材の種類は、例えば綿、麻、絹、レーヨン、ナイロン、ポリエステル、アクリル等の繊維布地、不織布、防水加工布、ゴム布等が好適である。
【００２６】
また、本実施の形態においては、コンクリート成形体１片面の波形部分２の形状として小波形、大波形、角波形の３種類を示したが、波形部分２の山の高さや幅のサイズは本発明を何等限定しない。また、基礎部分については、通常配合のコンクリートを使用している。さらに、外装用のコンクリート成形体１の波形部分２と、内装用のコンクリート成形体１の波形部分２とを噛み合わせて使用しても良い。
【００２７】
また、コンクリート成形体１の連結施工において、鉄筋を不要とするためにはコンクリート成形体１自体が軽量であることが重要であり、本実施の形態では、コンクリート成形体１を形成するセメントの骨材として、例えばココヤシ繊維、オガ粉、木チップ、バーミキュライト、例えばコーン缶詰工場から排出された産業廃棄物であるコーンの芯、日本山間各地に繁茂する竹や葦、雑草として困りものの背高泡立ち草等の繊維性植物粗粉末、あるいは解体自動車のクッション材である破砕スポンジ等による各種の柔軟性骨材を従来の砕石骨材の代わりに使用し、無機質コンクリート混和剤によりセメント接着強度を得て相当な強度を有するものとしてある。
【００２８】
また、更に強度が必要な場合には、接着剤で加工した天然繊維や合成繊維等からなる布材にて形成される連結部材３に加えて、これに厚さ約０．５ｍｍ〜１．５ｍｍ程度のステンレス薄板、あるいはパンチングメタル、プラスチック板等の硬質板材にて形成される連結補強骨材４を付設して構成することで充分な連結補強が成される構造となる。
【００２９】
次に、本発明の構成によるコンクリート成形体１の連結施工方法について説明する。図１に示すように、コンクリート成形体１を組み合わせるに際し、コンクリート成形体１の波形部分２に、接着剤を含浸もしくは塗布した天然繊維や合成繊維等からなる布材にて形成される連結部材３を貼着し、このコンクリート成形体１の波形部分２同士を噛み合わせる。このとき波形部分２は、接着剤のみでもコンクリート成形体１同士の食い付きを良好にし、縦横の連結補強が可能となるのである。
【００３０】
また、図２に示すように、段違い組み合わせによりコンクリート成形体１を順次積み上げるに際し、コンクリート成形体１の波形部分２同士を、接着剤で加工した天然繊維や合成繊維等からなる布材にて形成される連結部材３と共に、ステンレス板、パンチングメタル、プラスチック板等硬質板材にて形成される連結補強骨材４を介して噛み合わせる。このとき波形部分２は、コンクリート成形体１同士の食い付きを良好にし、従来のような補強鉄筋を使用しなくても充分な強度が発現するものとなる。
【００３１】
尚、以上の実施形態では、コンクリート成形体１を、１／２の厚み幅に二分割した例について説明しているが、必ずしもこの厚み寸法で二分割することに限定されるものではない。
【図面の簡単な説明】
【００３２】
【図１】本発明を実施するための最良の形態におけるコンクリート成形体の波形部分同士の噛み合わせ状態を示す一部切欠の斜視図である。
【図２】同じく段違い組立状態の一部断面の斜視図である。
【図３】同じく角波形による波形部分同士の噛み合わせ状態を示す一部切欠の斜視図である。
【図４】同じくコンクリート成形体の波形部分同士を連結補強骨材を介して噛み合わせた状態を示す一部切欠の斜視図である。
【符号の説明】
【００３３】
１  コンクリート成形体
２  波形部分
３  連結部材
４  連結補強骨材
【図１】
2006022529.tif 000003
【図２】
2006022529.tif 000004
【図３】
2006022529.tif 000005
【図４】
2006022529.tif 000006